(57)【要約】      （修正有）【課題】リハビリ効果、健康増進効果、知育効果を向上することができ、いつまでも飽きることなく使用できるように機能を充実させたリハビリ訓練用具、健康運動用具または知育用具を提供する。【解決手段】握り部本体１の表面部に多数の固定突起２と螺合突起５を設け、螺合突起は、雄ネジ６と雌ネジ４との螺合手段によって緊締操作および弛緩操作できるようにした。また、螺合突起を形状の区別認識ができるように構成すると共に、それぞれに彩色による識別表示を施した。螺合突起に弛緩操作時の脱落を防止するストッパ手段を設けてもよい。【選択図】図２
0003197595.tif 000002
【実用新案登録請求の範囲】
【請求項１】
握り部本体の表面部に多数の突起を設け、これら突起に彩色による識別表示を施した用具において、上記突起の一部または全部のものを雄ネジと雌ネジとの螺合手段によって緊締操作および弛緩操作できるようにしたことを特徴とするリハビリ訓練用具、健康運動用具または知育用具。
【請求項２】
上記一部または全部の突起を形状の区別認識できるように構成したことを特徴とする請求項１のリハビリ訓練用具、健康運動用具または知育用具。
【請求項３】
握り本体と一部または全部の突起に、それぞれ彩色による識別表示を施したことを特徴とする請求項１のリハビリ訓練用具、健康運動用具または知育用具。
【請求項４】
一部または全部の突起に、弛緩操作時の脱落を防止するストッパ手段を設けたことを特徴とする請求項１のリハビリ訓練用具、健康運動用具または知育用具。
【考案の詳細な説明】
【技術分野】
【０００１】  本考案は、脳障害者を対象として手指機能の回復、認知症の予防さらには、身体ツボのマッサージ、幼児の知能発育などに供されるリハビリ訓練用具、健康運動用具または知育用具に関するものである。
【背景技術】
【０００２】  従来、高齢者等が手指の運動を行なう器具が種々考案され、実用化にいたっている。その一つとして、握り部本体の表面部に指や手のひらなどのツボを刺激する突起を設けた健康運動器具が知られている。（特許文献１参照）【０００３】  また球形の握り部本体の表面部に手指を刺激するための多数の突起を設けたリハビリ用ボールも知られている。（特許文献２参照）【０００４】  さらに本考案者から、握り部本体と突起に識別表示を施し、色彩の刺激によって脳の活性化を図り、手指さらには身体などの機能を効果的に向上することができる用具が提案されている。（特許文献３）
【先行技術文献】
【特許文献】
【０００５】
【特許文献１】  特開平１０−１３７３２０号
【特許文献２】  特開２００１−３４６８５５号
【特許文献３】  登録実用新案３１９３３８３号
【考案の概要】
【考案が解決しようとする課題】
【０００６】  従来例に挙げた特許文献１の発明は、手指の機能増進さらには向上を図るうえでは好適なものであるが、脳障害を患うものなどにおいては、脳への刺激が充分でなく、このため飽きられることが多く、自身が興味をもって能動的に使用するまでには至っていない。【０００７】  また特許文献２の発明は、健常者の健康運動用具としては好適であるが、使い方が単純のため、脳への刺激は一部に留まっており、その活性化を促進するには不十分なものであった。よって引用文献１の発明と同様に面白味がなく、すぐに飽きられてしまう点が指摘された。【０００８】  特許文献３の考案は、上記した点に鑑みてなされたものであり、色彩によって脳を刺激してその活性化を図り、障害者を対象として手指の機能回復、認知症の予防さらには幼児の知能発育などに好適なリハビリ訓練用具または知育用具を提供することができたものである。【０００９】  ここにおいて本考案は、従来例に係る用具を考察して、これより一段と機能を充実させ、その効果を向上することができる新規なリハビリ訓練用具、健康運動用具または知育用具を提供しようとするものである。
【課題を解決するための手段】
【００１０】  上記の課題を解決するために、本考案に係るリハビリ訓練用具、健康運動用具または知育用具は、握り部本体の表面部に多数の突起を設け、これら突起に彩色による識別表示を施した用具において、上記突起の一部または全部のものを雄ネジと雌ネジとの螺合手段によって緊締操作および弛緩操作できるようにしたことを特徴とするものである。【００１１】    また本考案に係るリハビリ訓練用具、健康運動用具または知育用具は、請求項２において、上記一部または全部の突起を形状の区別認識できるように構成したことを特徴としている。【００１２】  また本考案に係るリハビリ訓練用具、健康運動用具または知育用具は、請求項３において、握り本体と一部または全部の突起に、それぞれ彩色による識別表示を施したことを特徴としている。【００１３】  また本考案に係るリハビリ訓練用具、健康運動用具または知育用具は、請求項４において、一部または全部の突起に、弛緩操作時の脱落を防止するストッパ手段を設けたことを特徴としている。
【考案の効果】
【００１４】  このように構成した課題解決手段によれば、彩色が視覚を通して脳を直接的に刺激し、手指でこれに触ることによって脳の活性化を促進することができることは勿論、突起の緊締操作および弛緩操作を行うことで、適切な難易度を得ることができ、特に障害者さらには幼児にとっては技能向上の達成感に寄与することができるという優れた効果を発揮する。【００１５】  また請求項２ようにしたときには、形の面白さにより脳への刺激を与えることができ、これによって飽きることなく長く使用することができる。【００１６】  また請求項３ようにしたときには、彩色のバリエーションが広がり、多くの組み合わせができる。このため、従来品と比べて、より一層の脳への刺激を与えることができ、これによって飽きることなく楽しく使用することができる。【００１７】  また請求項３ようにしたときには、特に障害者において突起の脱落がなく、これを拾い上げるなどの煩わしさを解消することができる。また幼児においては、紛失してしまうなどの欠点をなくすることができる。
【図面の簡単な説明】
【００１８】
【図１】  本考案に係るリハビリ訓練用具、健康運動用具または知育用具の一実施例を示す説明図である。
【図２】  同じく、縦断して示す説明図である。
【図３】  螺合手段の構造を示す説明図である。
【図４】  ストッパ手段の構造を示す説明図である。
【図５】  使用状態を示す説明図である。
【図６】  同じく、使用状態の説明図である。
【図７】  同じく、使用状態の説明図である。
【考案を実施するための形態】
【００１９】  以下、本考案の係るリハビリ訓練用具、健康運動用具または知育用具を一実施例について説明する。図１において、１は卵形の握り部本体  この握り部本体１は、手のひらに収まる程度の大きさとし、好ましくは木材で製作する。勿論、これ以外の合成樹脂材であってもよい。
【００２０】  ２、２は、握り部本体１に穿設した丸穴（図示省略）に根部を挿入して固定した多数の固定突起であり、握り部材１の表面部に対して法線方向に突出する。この固定突起は、図１に現れない裏側にも設けてあり、一実施例では、４本を備える。
【００２１】  上記の固定突起２、２には、例えば赤色、黄色、紫色などの彩色による識別表示を施す。また固定突起２、２は各個に異なった長さでも良く、具体的には、１ｃｍ〜２ｃｍ程突出する。
【００２２】  ３、３は握り部本体１に埋設したナット部材  ４、４はナット部材３、３に設けた雌ネジ  ａ、ｂは雌ネジ４、４の開口部に施した彩色（黒色、白色）の識別表示  ５、５は根部に雄ネジ６、６を、中間部に太径のつまみ部７、７を設け、先端を円柱状の突出させた螺合突起  この螺合突起５、５は、前記した雌ネジ４、４の付近の彩色表示に対応した識別表示ｃ、ｄを施す。上記の雄ネジ６、６と雌ネジ４、４は螺合手段を構成しており、握り部材１に対して螺合突起５、５を緊締自在および弛緩自在とする。
【００２３】  ８は円柱状先端を丸くした螺合突起であり、根部に螺合突起５、５と同じ雄  ネジ（図示省略）を、中間部に太径のつまみ部７を設ける。この螺合突起８とこの螺合突起８が螺合する握り部材１の部位には前記螺合突起５、５と異なる彩色（金色）の識別表示ｅを施す。
【００２４】  また螺合突起の形状は、上記以外に種々に変更して良いものであり、図示するように、先端を四角柱状とする螺合突起９、先端を三角錐とする螺合突起１０、つまみ部を四角状とする螺合突起１１など任意に製作することができる。そして、これら螺合突起９、１０、１１には彩色（緑色、銀色など）による識別表示を施すと共に、対応する握り部材１には同色の識別表示を施すようにする。
【００２５】  また、図示を省略してあるが、全ての螺合突起５、８、９、１０、１１の雄ネジ６は同じサイズであり、これに対応する握り本体１側の全ての雌ネジ４のサイズも同じである。従って、各螺合突起は互換性をもって握り部材１のどの位置にも取り付けることができる。また全ての突起は、彩色を重複することなく施すことにより各別の識別牲を備えている。
【００２６】  本考案に係るリハビリ訓練用具などの一実施例は上記のように構成されており、次のようにして用いる。例えば、脳障害による手指に不自由をもつものにおいては、傍にいる介護者が「先端が丸い金色の突起を摘んで下さい。」の言葉を掛ける。これに応じて障害者は、対応する螺合突起８を選んで摘み、これを図５のように差し上げる。
【００２７】  このようなリハビリ操作は、他の識別表示を施した螺合突起５、９、１０、１１においても順を追って同様に行うことができる。また図５の状態において、右手と左手に交互に移し換えるなど別個の操作を行わせることもできる。
【００２８】  また介護者が「黒色と白色の突起を片手で摘んで下さい。」の言葉を掛ける。これに応じて障害者は、図６のように手指操作を行う。図示しないが五指の全てを使うことで五つの螺合突起に対応することもでき、種々のリハビリ訓練を行なうことができる。
【００２９】  なお、前記した彩色認識によるときは、色からイメージする食物、動物、花などを介護者の言葉とし、これを彩色に連想してリハビリ訓練を楽しく行うことができる点でも効果的である。また、前記した介護者の言葉が「先が三角の突起と四角の突起を掴んで下さい。」のように形状認識によるものであってもよいことは勿論である。
【００３０】  また本考案のリハビリ訓練用具においては、螺合突起５のつまみ部７を指先で回して弛緩し、この突起５を握り部本体１から取り外すことができる。また上記と反対に、取り外した螺合突起５を回して緊締し、取り付けることもできる。指先を使っての回転操作さらにはネジの挿入操作は、機能障害者にとって適度の困難性を伴うので、特有のリハビリ効果が期待できる。
【００３１】  この場合、一方の手指で握り部本体１を保持し、他方の手指で突起５、５を回すことになり、両手指を使っての機能訓練をも効果的に行うことができる。着脱自在の螺合突起５、５には彩色表示がされているので、障害者に対して視覚を通して脳に強い刺激を与えることになり、気持ちを高揚しながら楽しくリハビリ訓練を行うことができる。
【００３２】  なお、上記の一実施例では彩色表示によって突起の識別を行ったが、彩色に加えて英字「Ａ、Ｂ、Ｃ、Ｄ、Ｅ」、ひらがな「あ、い、う、え、お」などを併用してよいことは勿論である。またこれらの英字、ひらがなに直接に彩色して識別表示とすることもできる。
【００３３】  また一実施例では、介護者のもとでのリハビリ訓練について説明したが、別に用意したプログラムに従うなどの手法をとれば、障害者などが独自で行うことができることは勿論であり、また本件用具は、障害者だけでなく健常者の認知症予防、幼児などを対象としてその機能回復、知育などにも効果を上げることができる。
【００３４】  また一実施例では、握り部本体１に雌ネジを、螺合突起に雄ネジを設けたが、この反対に螺合突起側を雌ネジとし、握り部本体側を雄ネジにしても良いものであり、この構成変更は設計変更の範囲で容易になし得るものである。
【００３５】  また一実施例の用具においては、雄ネジと雌ネジのサイズが同じであり、どの位置にも螺合突起を取り付けることができるので、違った色の組み合わせを行うことができるなど自在性が広がり、趣向を変えて楽しく遊ぶことができるなどのメリットを発揮する。
【００３６】  また本考案の用具は、突起によっていわゆる人体のツボ例えば頭部、首筋、腰部、足底などを押圧するマッサージ用具としても使用することができるものであり、障害者はもとより健常者の健康促進にも効果をあげることができる。この場合、突起が卵形の握り本体１の外周に沿うようにして放射状に突出しているので、押圧部位に適切に馴染み、使い易い点でも特徴的である。
【００３７】  また本考案の用具は、螺合突起を図７のように例えばスプーンの柄１２の形状に変更することができる。このようにしたときには、前述したリハビリ訓練具などにない特別な機能を得ることができ有効性を一層向上することができる。上記のスプーンの柄は、これに代えて箸、フォークの柄状のもの、ストローのもの、ペットボトルのキャップ形状のものなど各種用意することができる。
【００３８】  また本考案の用具は、図４のように螺合突起における雄ネジの端部に突出ピン１３からなるストッパ手段を設けることができる。このことによって、脱落したときの拾い上げなど障害者負担をなくすることができる。また幼児が遊んだときにありがちな紛失をも防止することができる。
【符号の説明】
【００３９】    １          握り部本体
２、２      固定突起
３、３      ナット部材
４、４      雌ネジ
５、５      螺合突起
６、６      雄ネジ
７、７      つまみ部
８、９      螺合突起
１０        螺合突起
１１        螺合突起
１２        スプーン状の柄
１３        突出ピン
ａ〜ｅ      彩色による識別表示
【図１】
0003197595.tif 000003
【図２】
0003197595.tif 000004
【図３】
0003197595.tif 000005
【図４】
0003197595.tif 000006
【図５】
0003197595.tif 000007
【図６】
0003197595.tif 000008
【図７】
0003197595.tif 000009